(57)【要約】【課題】  冷却性能を高い電力機器用制御盤を提供する。【解決手段】  冷却用空気流通ダクト２１の内部の下側領域２５内に複数のリアクトルＬ１１〜Ｌ２６を配置する。またダクト２１の上側領域内に三相インバータ回路ＩＮＶ１，ＩＮＶ２及び三相交流スイッチ回路ＡＣＳ１，ＡＣＳ２を配置する。三相インバータ回路ＩＮＶ１及びＩＮＶ２の下側に送風機２９を配置する。三相交流スイッチ回路ＡＣＳ１及びＡＣＳ２の上側に送風機３１を配置する。送風機２９及び３１を誘引送風機としてダクト２１の入口１７から出口１９へ空気を流す。【選択図】図１
2005294456.tif 000002
【特許請求の範囲】
【請求項１】
筐体の内部に複数のリアクトルや電力変換装置等の複数の発熱機器と、前記複数の発熱機器を直接または間接に冷却する１以上の送風機とが収納され、
前記筐体の室内が正面パネル、一対の側面パネル、背面パネル、底面パネル及び上面パネルによって囲まれている電力機器用制御盤であって、
前記室内の内部には、前記底面パネル側に入口を有し、前記正面パネル、前記一対の側面パネル及び前記背面パネルの少なくとも一つの上部領域及び／または前記上面パネルに出口を有する冷却用空気流通ダクトが形成されており、
前記正面パネル、前記一対の側面パネル及び前記背面パネルの少なくとも一つの下部領域及び／または前記底面パネルには、前記室内へ前記筐体の外部の外気を引き入れるための吸気口が形成されており、
前記冷却用空気流通ダクトの内部には、前記入口から前記出口に到る途中までの下側領域内に前記複数のリアクトルの大部分または全部が配置され、前記下側領域よりも上に位置する上側領域内に他の複数の発熱機器の大部分または全部が配置されており、
前記吸気口から前記外気を前記室内に誘引するための１台以上の誘引送風機が前記上側領域内に配置されていることを特徴とする電力機器用制御盤。
【請求項２】
前記冷却用空気流通ダクトの前記上側領域内には、１台以上の前記発熱機器よりも上流側に１台以上の前記誘引送風機が配置されていることを特徴とする請求項１に記載の電力機器用制御盤。
【請求項３】
前記上側領域内には１台以上の前記発熱機器の下流側に１台以上の前記誘引送風機が配置されていることを特徴とする請求項１または２に記載の電力機器用制御盤。
【請求項４】
前記下側領域内には、上下方向に間隔を開けて複数のリアクトル取付棚が設けられており、
１つの前記リアクトル取付棚には複数の前記リアクトルが横方向に間隔を開けて取付けられており、
前記複数のリアクトル取付棚は、少なくとも周囲に複数の空気流通路が形成される構造を有している請求項１，２または３に記載の電力機器用制御盤。
【請求項５】
前記複数のリアクトル取付棚自身には、設置される複数の前記リアクトルに空気を導く複数の貫通孔が形成されている請求項４に記載の電力機器用制御盤。
【請求項６】
前記複数のリアクトルは、相反する方向に延びる一対のリアクトル取付用フランジを備えた取付プレート上にリアクトル素子が配置された構造を有しており、
前記複数のリアクトルは、前記リアクトル取付棚の長手方向と直交する幅方向に前記一対のリアクトル取付用フランジが並ぶように前記リアクトル取付棚の上面に配置されており、
前記リアクトル取付棚の前記幅方向に位置する一方の側面には、前記リアクトルの前記一対のリアクトル取付用フランジの一方が差し込まれるスリットを備えた第１のリアクトル取付金具が固定されており、
前記リアクトル取付棚の前記幅方向に位置する他方の側面側には、前記リアクトル取付棚の前記上面との間に前記一対のリアクトル取付用フランジの他方を挟むように構成された第２のリアクトル取付金具が、前記リアクトル取付棚に対して前記リアクトル取付棚の前記上面との間に前記リアクトル取付用フランジを挟むように取付けられて、前記複数のリアクトルが前記リアクトル取付棚に取付けられていることを特徴とする請求項１に記載の電力機器用制御盤。
【請求項７】
前記リアクトル取付用フランジは、前記リアクトル取付棚の前記上面上に正しく配置された状態で前記上面の縁部を越えて外側に延びる１以上の突出部をその先端に備えており
、
前記第２のリアクトル取付金具は、前記リアクトル取付棚の長手方向に延びる角部に沿う横断面形状がＬ字形を呈するアングル部を備えており、
前記アングル部には前記リアクトル取付用フランジの前記上面の縁部を越えて延びる前記１以上の突出部が嵌合される複数の嵌合孔が形成されていることを特徴とする請求項６に記載の電力機器用制御盤。
【請求項８】
筐体の内部に複数のリアクトルと、１台以上の電力変換装置と、１台以上の交流スイッチ装置等と、少なくとも前記複数のリアクトル、前記１台以上の電力変換装置及び前記１台以上の交流スイッチ装置を冷却する１以上の送風機とが収納されている電源装置であって、
前記筐体の室内は正面パネル、一対の側面パネル、背面パネル、底面パネル及び上面パネルによって囲まれており、
前記室内の内部には、前記底面パネル側に入口を有し、前記正面パネル、前記一対の側面パネル及び前記背面パネルの少なくとも一つの上部領域及び／または前記上面パネルに出口を有する冷却用空気流通ダクトが形成されており、
前記正面パネル、前記一対の側面パネル及び前記背面パネルの少なくとも一つの下部領域及び／または前記底面パネルには、前記室内へ前記筐体の外部の外気を引き入れるための吸気口が形成されており、
前記冷却用空気流通ダクトの内部には、前記入口から前記出口に到る途中までの下側領域内に前記複数のリアクトルの大部分または全部が配置され、前記下側領域よりも上に位置する上側領域内に前記１台以上の電力変換装置及び１台以上の交流スイッチ装置が横に並ぶように配置されており、
前記冷却用空気流通ダクトの前記上側領域内には、前記吸気口から前記外気を前記室内に誘引するための複数台の誘引送風機が配置され、
１台以上の前記誘引送風機が前記電力変換装置の上流側に配置され、
１台以上の別の前記誘引送風機が前記交流スイッチ装置の下流側に配置されていることを特徴とする電源装置。
【請求項９】
前記交流スイッチ装置は、前記下側領域内の前記複数のリアクトルの真上に配置されており、
前記電力変換装置の真下に前記１台以上の誘引送風機が配置されている請求項８に記載の電源装置。
【請求項１０】
前記冷却用空気流通ダクトは、前記背面パネルとの間に前記下部領域が位置するように形成されており、
前記冷却用空気流通ダクトと前記正面パネルとの間には、積極的に冷却を必要としない機器が配置されている請求項９に記載の電源装置。
【請求項１１】
前記吸気口は前記正面パネルの下部領域に設けられている請求項１０に記載の電源装置。
【発明の詳細な説明】
【技術分野】
【０００１】
本発明は、筐体の内部に発熱機器を備えた電源装置等の電力機器用制御盤に関するものである。
【背景技術】
【０００２】
特開２００４−８８０２３号公報等には、電力機器の筐体の内部を冷却するために、筐体の内部にダクトを構成し、ダクトの排気口側に誘引送風機を配置する冷却構造が示されている。
【特許文献１】特開２００４−８８０２３号  図２
【発明の開示】
【発明が解決しようとする課題】
【０００３】
しかしながら従来は、どのような発熱機器をどのような位置に配置すれば、冷却効率または放熱効率が高くなるかについての検討がなされていなかった。
【０００４】
本発明の目的は、従来よりも冷却性能を高めることができる電力機器用制御盤及び電源装置を提供することにある。
【０００５】
本発明の他の目的は、多数のリアクトルを効率よく冷却できる電力機器用制御盤を提供することにある。
【０００６】
本発明の更に他の目的は、上下方向に複数のリアクトルを並べた場合であっても、各リアクトルを確実に冷却することができる電力機器用制御盤を提供することにある。
【０００７】
本発明の別の目的は、リアクトル取付棚に複数のリアクトルを簡単な作業で取付けることができる電力機器用制御盤を提供することにある。
【０００８】
本発明のさらに別の目的は、リアクトル取付棚に複数のリアクトルを簡単な作業で高い位置決め精度を持って取付けることができる電力機器用制御盤を提供することにある。
【課題を解決するための手段】
【０００９】
本発明は、筐体の内部に複数のリアクトルや電力変換装置等の複数の発熱機器と、複数の発熱機器を直接または間接に冷却する１以上の送風機とが収納されている電力機器用制御盤を改良の対象とする。筐体の室内は正面パネル、一対の側面パネル、背面パネル、底面パネル及び上面パネルによって囲まれている。なお本願明細書において、「パネル」とは、板材だけで構成された構造材だけを意味するものではなく、アングル材等で補強された構造材等でもよく、いわゆる壁部を構成できるものではあれば、いかなる構造を有するものであってもよい。
【００１０】
本発明においては、室内の内部に、底面パネル側に入口を有し、正面パネル、一対の側面パネル及び背面パネルの少なくとも一つの上部領域及び／または上面パネルに出口を有する冷却用空気流通ダクトを形成する。また正面パネル、一対の側面パネル及び背面パネルの少なくとも一つの下部領域及び／または底面パネルには、室内へ筐体の外部の外気を引き入れるための吸気口を形成する。そして冷却用空気流通ダクトの内部には、入口から出口に到る途中までの下側領域内に複数のリアクトルの大部分または全部を配置する。また下側領域よりも上に位置する上側領域内に他の複数の発熱機器の大部分または全部を配置する。さらに吸気口から外気を室内に誘引するための１台以上の誘引送風機を上側領域内に配置する。
【００１１】
本発明の電力機器用制御盤では、筐体の室内に下側から上側に延びる冷却用空気流通ダクト（以下単にダクトと言う場合がある）の下側領域内に重量が重く且つ数が多いリアクトルを配置したので、筐体の重量バランスが不安定な状態になることがない。その上、ダクト内の上側領域内にその他の発熱機器（リアクトルよりも発熱量が多い発熱機器）を配置し、吸気口から見て下流側に位置する上側領域内に誘引送風機を配置したので、筐体に入った外気をダクト内に確実に誘引して、ダクト内の発熱機器を冷却することができる。またインバータ等の半導体電力機器と比べて発熱量が少ないリアクトルをダクトの上流側に配置したので、ダクトの下流側に位置する上側領域内に配置する放熱機器に触れる空気流の温度が冷却に不向きなほどに高くなるのを防止して、高い冷却性能を得ることができる。
【００１２】
上側領域内には１台以上の発熱機器の下流側に１台以上の誘引送風機を配置することができる。一般的には、誘引送風機は最下流側に配置する。特に、排気口の面積が大きくなると、最下流側にのみ誘引送風機を配置したのでは、冷却効率が悪くなる場合も生じる。そこで冷却用空気流通ダクトの上側領域内には、１台以上の発熱機器よりも上流側に１台以上の誘引送風機を配置してもよい。このようにすると排気口の面積が大きくなる場合や、空気の流路が複雑になったり、空気の流通抵抗が大きくなる構造を有する発熱機器（例えばインバータ装置）を冷却する場合には、送風機から冷却用空気を吹き付けた場合のほうが冷却効率が高くなることもある。このような場合には、誘引送風機をあえて発熱機器の上流側に配置するのが好ましい。
【００１３】
なおダクト内の下側領域内には、上下方向に間隔を開けて複数のリアクトル取付棚を設け、１つのリアクトル取付棚に複数のリアクトルを横方向に間隔を開けて取付けるのが好ましい。このようにすると、リアクトルの数が多くなった場合でも、無駄なスペースを必要とせずに複数のリアクトルを配置して、各リアクトルを確実に冷却することができる。なお複数のリアクトル取付棚は、少なくとも周囲に複数の空気流通路が形成される構造を有しているのが好ましい。このような複数の空気流通路が形成される構造を採用すれば、リアクトル取付棚を複数段上下に並べても、各リアクトル取付棚の存在が空気の流通の大きな障害になることがなくなって、冷却性能が低下することを抑制できる。
【００１４】
さらに複数のリアクトル取付棚自身に、設置される複数のリアクトルに空気を導く複数の貫通孔を形成しておくのが好ましい。このような複数の貫通孔を設けておけば、リアクトル取付棚自身がリアクトルの冷却の大きな障害になることがなく、リアクトルの冷却性能の低下を防止できる。
【００１５】
複数のリアクトルの取付け構造は任意である。例えばリアクトルとして、相反する方向に延びる一対のリアクトル取付用フランジを備えた取付プレート上にリアクトル素子が配置された構造を有しているものを用いる場合には、次のようにする。即ち複数のリアクトルを、リアクトル取付棚の長手方向と直交する幅方向に一対のリアクトル取付用フランジが並ぶようにリアクトル取付棚の上面に配置する。そしてリアクトル取付棚の幅方向に位置する一方の側面に、リアクトルの一対のリアクトル取付用フランジの一方が差し込まれるスリットを備えた第１のリアクトル取付金具を固定する。またリアクトル取付棚の幅方向に位置する他方の側面側には、リアクトル取付棚の上面との間に一対のリアクトル取付用フランジの他方を挟むように構成された第２のリアクトル取付金具を取り付ける。この第２のリアクトル取付金具は、リアクトル取付棚に対してリアクトル取付棚の上面との間にリアクトル取付用フランジを挟むように取付けられて、複数のリアクトルをリアクトル取付棚に取付けることができる構造を有している。このようにすれば、一対のリアクトル取付金具を取付ける作業だけで、複数のリアクトルを同時にリアクトル取付棚に取付けることが可能になって、リアクトルの取付け作業を簡単に行える利点が得られる。
【００１６】
なおリアクトル取付用フランジは、リアクトル取付棚の上面上に正しく配置された状態で、上面の縁部を越えて外側に延びる１以上の突出部をその先端に備えたものを用いるのが好ましい。この場合には、リアクトル取付金具は、リアクトル取付棚の長手方向に延びる角部に沿う横断面形状がＬ字形を呈するアングル部を備えた構造にする。そしてアングル部には、リアクトル取付用フランジの上面の縁部を越えて延びる１以上の突出部が嵌合される複数の嵌合孔を形成する。このようにすると突出部と嵌合孔との嵌合により、リアクトル取付用フランジの位置決めが確実なものとなる。
【００１７】
本発明を電源装置に対して適用すると、次のようになる。例えば、筐体の内部に複数のリアクトルと、１台以上の電力変換装置と、１台以上の交流スイッチ装置等と、少なくとも複数のリアクトル、１台以上の電力変換装置及び１台以上の交流スイッチ装置を冷却する１以上の送風機とが収納されている電源装置が対象となる。筐体の室内は正面パネル、一対の側面パネル、背面パネル、底面パネル及び上面パネルによって囲まれている。
【００１８】
室内の内部には、底面パネル側に入口を有し、正面パネル、前記一対の側面パネル及び前記背面パネルの少なくとも一つの上部領域及び／または上面パネルに出口を有する冷却用空気流通ダクトを形成する。正面パネル、一対の側面パネル及び背面パネルの少なくとも一つの下部領域及び／または底面パネルには、室内へ筐体の外部の外気を引き入れるための吸気口を形成する。そして冷却用空気流通ダクトの内部には、入口から出口に到る途中までの下側領域内に複数のリアクトルの大部分または全部を配置する。また下側領域よりも上に位置する上側領域内に１台以上の電力変換装置及び１台以上の交流スイッチ装置が横に並ぶように配置する。
【００１９】
この場合でも、冷却用空気流通ダクトの上側領域内に、吸気口から外気を室内に誘引するための複数台の誘引送風機を配置する。そして１台以上の誘引送風機を電力変換装置の上流側に配置する。また１台以上の別の誘引送風機を交流スイッチ装置の下流側に配置する。なお交流スイッチ装置は、下側領域内の複数のリアクトルの真上に配置するのが好ましい。また電力変換装置の真下に１台以上の誘引送風機を配置するのが好ましい。
【００２０】
冷却用空気流通ダクトを、背面パネルとの間に下部領域が位置するように形成する場合には、冷却用空気流通ダクトと正面パネルとの間には、積極的に冷却を必要としない機器を配置するのが好ましい。このようにすると正面パネルを開くことによってメンテナンスや定期的な点検が必要な回路やセンサ等への作業者のアクセスが容易になる。この場合、吸気口は正面パネルの下部領域に設けられるのが好ましい。
【発明の効果】
【００２１】
本発明によれば、筐体の室内に下側から上側に延びる冷却用空気流通ダクトの下側領域内に重量が重く且つ数が多いリアクトルを配置したので、筐体の重量バランスが不安定な状態になることがないという利点が得られる。その上、ダクト内の上側領域内にその他の発熱機器（リアクトルよりも発熱量が多い発熱機器）を配置し、吸気口から見て下流側に位置する上側領域内に誘引送風機を配置したので、筐体に入った外気をダクト内に確実に誘引して、ダクト内の発熱機器を冷却することができる利点が得られる。さらにインバータ等の半導体電力機器と比べて発熱量が少ないリアクトルをダクトの上流側に配置したので、ダクトの下流側に位置する上側領域内に配置する放熱機器に触れる空気流の温度が冷却に不向きなほどに高くなるのを防止して、高い冷却性能を得ることができる効果が得られる。
【発明を実施するための最良の形態】
【００２２】
以下、図面を参照して本発明を電源設備１を構成する電力機器用制御盤に適用した実施の形態の一例を詳細に説明する。図１は、内部機構を一部省略した電源設備１の縦断面図を示しており、図２は図１の電源設備１を背面パネル１１を外して背面から見た図である。また図３乃至図６は、図２のIII−III線断面図、IV−IV線断面図、Ｖ−Ｖ線断面図及びVI−VI線断面図である。なお図３乃至図６においては、筐体の周囲を囲む各パネルについては断面であることを表示するために鎖線で示してある。
【００２３】
これらの図においては、符号３で示した部材は、筐体である。この筐体３は、正面パネル５、一対の側面パネル７及び９、背面パネル１１、底面パネル１３及び上面パネル１５が組み合わされて構成されている。なお各図には、各パネルを取付けるためのフレームについては、基本的に図示していない。筐体３の室内４には、底面パネル１３側に入口１７を有し、上面パネル１５に出口（排気口）１９を有する冷却用空気流通ダクト２１が形成されている。そして正面パネル５の下部領域には、室内４へ筐体３の外部の外気を引き入れるための吸気口２３が形成されている。図１には、吸気口２３から室内４に引き入れられた空気の流れを矢印で図示してある。
【００２４】
この実施の形態の電源設備１は、直流電源から供給される直流電力を交流電力に変換する２台の三相インバータ回路ＩＮＶ１及びＩＮＶ２（図１には１台の三相インバータ回路ＩＮＶ２だけを示している）が並列接続されて負荷への切換回路（図示せず）に接続され、また三相商用電力を位相制御により電力制御する三相交流スイッチ回路ＡＣＳ１及びＡＣＳ２（図１には１台の三相交流スイッチ回路ＡＣＳ２だけを示している）が並列接続されて切換回路に接続された構成を有している。例えば切換回路は、三相商用電源が停電したときに、三相交流スイッチ回路ＡＣＳ１及びＡＣＳ２から負荷への給電を、三相インバータ回路ＩＮＶ１及びＩＮＶ２から負荷への給電に切り換えるように制御される。２台の三相交流スイッチ回路ＡＣＳ１及びＡＣＳ２の入力側には、各相毎に２台ずつの６台の交流スイッチ用リアクトルＬ１〜Ｌ６が配置されている。また２台の三相インバータ回路ＩＮＶ１及びＩＮＶ２の直流入力側には、それぞれ２台ずつの４台の直流リアクトルＬ１１乃至Ｌ１４が配置されている。さらに三相インバータ回路ＩＮＶ１及びＩＮＶ２の交流出力側には三相分の交流リアクトルＬ２１〜Ｌ２６が６台配置されている。なお実際には、その他の小さい容量のリアクトルも筐体３内には配置されている。
【００２５】
図１及び図２に示すように、底面パネル１３の上には、冷却用空気流通ダクト２１の入口１７の下方位置に、６台の交流スイッチ用リアクトルＬ１〜Ｌ６が配置されている。３台の交流スイッチ用リアクトルＬ４〜Ｌ６は、冷却用空気流通ダクト２１の入口１７のほぼ真下に配置されており、残りの３台の交流スイッチ用リアクトルＬ１〜Ｌ３はその前方に配置されている。そして冷却用空気流通ダクト２１の内部には、入口１７から出口１９に到る途中までの下側領域２５内に４台の直流リアクトルＬ１１〜Ｌ１４と６台の交流リアクトルＬ２１〜Ｌ２６とが配置されている。また下側領域２５よりも上に位置する上側領域２７内には、発熱機器としての２台の三相インバータ回路ＩＮＶ１及びＩＮＶ２並びに２台の三相交流スイッチ回路が配置されている。
【００２６】
上側領域２７内の２台の三相インバータ回路ＩＮＶ１及びＩＮＶ２の下すなわち上流側には、それぞれ４台の冷却用送風機２９が配置されている。また上側領域２７内の２台の三相交流スイッチ回路ＡＣＳ１及びＡＣＳ２の上即ち下流側には、３台の冷却用送風機３１が配置されている。これら合計で１１台の冷却用送風機２９及び３１は、ダクト２１の入口１７側から空気を誘引して、出口１９に排気するための誘引送風機として動作している。三相インバータ回路ＩＮＶ１及びＩＮＶ２は、発熱量が大きいため、この例では、送風機２９の風で直接的な冷却を行っている。
【００２７】
本実施の形態の電源設備１では、底面パネル１３上に６台のリアクトルＬ１〜Ｌ６を配置し、また冷却用空気流通ダクト２１の下側領域２５内に重量が重く且つ数が多いリアクトルＬ１１〜Ｌ２６を配置したので、筐体３の重量バランスが不安定な状態になることがない。その上、ダクト２１内の上側領域２７内にリアクトルよりも発熱量の大きいインバータ回路及び交流スイッチ回路（発熱機器）を配置し、吸気口２３から見て下流側に位置する上側領域２７内に送風機２９及び３１を配置したので、筐体３に入った外気をダクト２１内に確実に誘引して、ダクト２１内の発熱機器を確実に冷却することができる。またインバータ回路及び交流スイッチ回路等の半導体電力機器と比べて、発熱量が少ないリアクトルＬ１１〜Ｌ２６をダクト２１の上流側に配置したので、ダクト２１の下流側に位置する上側領域２７内に配置する放熱機器に触れる空気流の温度が冷却に不向きなほどに高くなるのを防止することができる。
【００２８】
次にリアクトルＬ１１〜Ｌ２６の取付態様について説明する。ダクト２１内の下側領域２５内には、上下方向に間隔を開けて３段のリアクトル取付棚３３〜３７を設けてある。最も下のリアクトル取付棚３３には、４台のリアクトルＬ１１〜Ｌ１４が横方向に間隔を開けて取付けられている。また中段のリアクトル取付棚３５には、３台のリアクトルＬ２４〜Ｌ２６が横方向に間隔を開けて取付けられている。さらに上段のリアクトル取付棚３７には、３台のリアクトルＬ２１〜Ｌ２３が横方向に間隔を開けて取付けられている。このようにすると、リアクトルの数が多くなった場合でも、無駄なスペースを必要とせずに複数のリアクトルを配置して、各リアクトルを確実に冷却することができる。図４乃至図６に示すように、３段のリアクトル取付棚３３〜３７は、周囲に複数の空気流通路が形成されるような構造を有している。
【００２９】
図７は、上段のリアクトル取付棚３７の構造と３台のリアクトルＬ２１〜Ｌ２３のリアクトル取付棚３７への取付構造を示す分解斜視図である。リアクトル取付棚３７に取付けられるリアクトルＬ２１〜Ｌ２３は、相反する方向に延びる一対のリアクトル取付用フランジＦ，Ｆを備えた取付プレートＰ上にリアクトル素子ＬＤが配置された構造を有している。リアクトル取付用フランジＦ，Ｆは、リアクトル取付棚３７の上面３８上に正しく配置された状態で、上面３８の縁部を越えて外側に延びる２以上の突出部Ｆ１及びＦ２をその先端に備えている。
【００３０】
リアクトル取付棚３７は、所定の形状にプレスした板材を折り曲げて構成されており、横断面形状が下向きのコの字形状になる２本のフレーム部３９及び４１とこれらの２本のフレーム部３９及び４１を連結する２つの連結部４３及び４５とを備えている。２つの連結部４３及び４５の間には大きな矩形状の窓部４７が形成されている。また２本のフレーム部３９及び４１の上側側壁部には、それぞれ長手方向に所定の間隔をあけて小さな矩形状の貫通孔４９が形成されている。このようにリアクトル取付棚自身に、設置される複数のリアクトルに空気を導く複数の貫通孔４９を形成しておくのが好ましい。このような複数の貫通孔４９を設けておけば、リアクトル取付棚自身がリアクトルの冷却の大きな障害になることがなく、リアクトルの冷却性能の低下を防止できる。また一方のフレーム部４１の側面には、後述するリアクトル取付用フランジＦが差し込まれる細長い３本のスリット５１が長手方向に間隔をあけて形成された第１のリアクトル取付用金具５３が固定されている。第２のリアクトル取付用金具５５は、リアクトル取付棚３７の上面３８との間に後述するリアクトル取付用フランジＦをそれぞれ挟むように構成されている。第２のリアクトル取付金具５５は、リアクトル取付棚３７の長手方向に延びる１つの角部４０に沿う横断面形状がＬ字形を呈するアングル部５７を備えている。そしてアングル部５７には、リアクトル取付棚３７の上面３８の縁部を越えて延びるリアクトル取付用フランジＦの２つの突出部Ｆ１及びＦ２が嵌合される６つの嵌合孔５９が形成されている。このようにすると突出部と嵌合孔との嵌合により、リアクトル取付用フランジの位置決めが確実なものとなる。第２のリアクトル取付金具５５は、フレーム部３９に対して螺子またはビス６１により固定されている。
【００３１】
３台のリアクトルＬ２１〜Ｌ２３をリアクトル取付棚３７に取付ける場合には、まず３台のリアクトルの一方のリアクトル取付用フランジＦを第１のリアクトル取付金具５３のスリット５１に差し込む。これによってリアクトルＬ２１〜Ｌ２３は、リアクトル取付棚３７の長手方向と直交する幅方向に一対のリアクトル取付用フランジＦ，Ｆが並ぶようにリアクトル取付棚３７の上面３８に配置される。次に第２のリアクトル取付用金具５５の６つの嵌合孔５９にリアクトルＬ２１〜Ｌ２３の他方のリアクトル取付用フランジＦに設けられた２つの突出部Ｆ１，Ｆ２を差し込んだ後、第２のリアクトル取付用金具５５をフレーム部３９に対して固定する。このようにすると、３台のリアクトルを同時にリアクトル取付棚に取付けることが可能になって、リアクトルの取付け作業が簡単になる。
【００３２】
その他のリアクトル取付棚３３及び３５に対するリアクトルの取付も上記と同様にして行う。なお上記実施の形態のリアクトルは、リアクトル取付用フランジに２つの突出部を備えているが、突出部の数は任意である。
【００３３】
上記実施の形態において、ダクト２１の前方の空間には、電源設備１の制御回路や、切換回路、各種のコンデンサや抵抗体などが配置されている。
【００３４】
上記実施の形態では、送風機２９をインバータ回路ＩＮＶ１及びＩＮＶ２の下側に配置したが、送風機３１と同様にインバータ回路ＩＮＶ１及びＩＮＶ２の上に送風機２９を配置してもよい。また上記実施の形態では、出口１９を上面パネル１５に設けたが、出口１９の一部または全部を正面パネル５、側面パネル７及び９、背面パネル１１の上側領域部分に形成してもよい。さらに上記実施の形態では、リアクトルＬ１〜Ｌ６をダクト２１の外部に配置しているが、リアクトルＬ１〜Ｌ６もダクト２１の内部に配置されるようにダクトの下側端部部分を延ばしてもよいのは勿論である。
【図面の簡単な説明】
【００３５】
【図１】内部機構を一部省略した電源設備の縦断面図である。
【図２】背面のパネルを外した図１の電源設備を背面から見た図である。
【図３】図２のIII−III線断面図である。
【図４】図２のIV−IV線断面図である。
【図５】図２のＶ−Ｖ線断面図である。
【図６】図２のVI−VI線断面図である。
【図７】リアクトル取付棚の構造とリアクトルのリアクトル取付棚への取付構造を示す分解斜視図である。
【符号の説明】
【００３６】
１  電源設備（電力機器用制御盤）
３  筐体
５  正面パネル
７，９  側面パネル
１１  背面パネル
１３  底面パネル
１５  上面パネル
１７  入口
１９  出口
２１  冷却用空気流通ダクト
２３  吸気口
２５  下側領域
２７  上側領域
２９，３１  送風機
Ｌ１〜Ｌ２６  リアクトル
ＩＮＶ１，ＩＮＶ２  三相インバータ回路
ＡＣＳ１，ＡＣＳ２  三相交流スイッチ回路
【図１】
2005294456.tif 000003
【図２】
2005294456.tif 000004
【図３】
2005294456.tif 000005
【図４】
2005294456.tif 000006
【図５】
2005294456.tif 000007
【図６】
2005294456.tif 000008
【図７】
2005294456.tif 000009